(57)【要約】【課題】遊技場側の要望に合わせて表示できる情報量を手軽に増加させることが可能な遊技情報表示装置を提供する。【解決手段】遊技情報表示装置３は、表示装置本体３０の上端縁に沿って前面に透明カバー６７を有するケース体６０を取り付け、そのケース体６０に任意の表示媒体を収納することによって表示装置本体３０の液晶表示部３３での表示内容とは別の情報を表示する。【選択図】図３
2018153210.tif 000002
【特許請求の範囲】
【請求項１】
遊技場内に設置された複数の遊技機各々の上方に設置され、当該遊技機に関する各種の遊技情報を表示可能な遊技情報表示装置において、
前記遊技情報を表示可能な矩形状の表示装置本体と、
この表示装置本体の上端縁に沿って起立するように取り付けられ、予め所定の遊技情報が表示された表示媒体を収納可能で、少なくとも前面が透明なケース体と、を備えたことを特徴とする遊技情報表示装置。
【請求項２】
前記ケース体は、収納した表示媒体を照明するための照明部材を有し、
前記表示装置本体側からの電源供給に応じて、前記照明部材の点灯を制御するように構成されたことを特徴とする請求項１記載の遊技情報表示装置。
【発明の詳細な説明】
【技術分野】
【０００１】
本発明は遊技情報表示装置に関する。
【背景技術】
【０００２】
従来の遊技場においては、例えば特許文献１に記載されている通り、各遊技機の上方に表示装置を設置して各種の遊技情報を遊技者に表示するのが一般的となっている。特に近年においては、表示デバイスとしで液晶パネルを採用し、より一層多様で詳細な遊技情報を表示することが可能となっている。
【先行技術文献】
【特許文献】
【０００３】
【特許文献１】特開２０１６−２０２５６３号公報
【発明の概要】
【発明が解決しようとする課題】
【０００４】
しかしながら、遊技場側が表示したいと考える情報量は日に日に増加するとともに、その内容も頻繁に変化するため、従来の表示装置では対応しきれない場合が少なくないという実情があった。また、そのような不具合に対応するため、別途用意した所謂ＰＯＰ札を遊技機の近傍に貼ったり刺したりして、表示装置での表示を補うようにしている遊技場もあった。
【０００５】
本発明は、上記した事情に鑑みてなされたものであり、その目的は、遊技場側の要望に合わせて表示できる情報量を手軽に増加させることが可能な遊技情報表示装置を提供することにある。
【課題を解決するための手段】
【０００６】
請求項１の遊技情報表示装置は、その表示装置本体の上端縁に沿って透明なケース体を取り付け、そのケース体に任意の表示媒体を収納することによって表示装置本体の表示内容とは別の情報を表示することができるので、表示可能な情報量を手軽に増加させることができる。また、表示装置本体の上端縁に沿ってケース体を取り付けたので、表示装置本体とケース体とが一体的な外観を成し、遊技者が視線を大きく移動させることなく両方の情報を視認することができる。
【図面の簡単な説明】
【０００７】
【図１】遊技場全体の概略構成を示す図
【図２】遊技情報表示装置を中心として示す機能ブロック図
【図３】遊技情報表示装置の正面図
【図４】同装置の側面図
【図５】同装置の後方側からの斜視図
【図６】同装置の後面側における転落防止用のフック部近傍の拡大斜視図
【図７】表示装置本体の分解斜視図
【図８】図７のＡ矢視図
【図９】ケース体の正面図
【図１０】（ａ）及び（ｂ）は、ケース体の右側面図及び縦断側面図
【図１１】ケース体における同断面の拡大図
【発明を実施するための形態】
【０００８】
以下、本発明の一実施形態について図１〜図１１を参照して説明する。
図１は、遊技場全体の概略構成を示している。遊技場内には多数の遊技機１が設置されており、各遊技機１に対応して貸出装置２及び遊技情報表示装置３が設置されている。これら遊技機側の装置１〜３は夫々２台ずつ、１台の中継装置４に接続されており、中継装置４はＬＡＮ５を介して管理装置６に接続されている。
【０００９】
管理装置６は、遊技機側の装置１〜３等から送信される遊技情報を受信することにより、当該装置１〜３を含む、遊技場内に設置される全ての装置の稼動状況や、各種の遊技情報を管理する。尚、図１では省略しているが、数百台の遊技機を管理装置６の管理対象としており、遊技場内に形成された遊技機島に、遊技機側の装置１〜３が設置されている。また、図１では遊技機１としてスロットマシンを例示しており、遊技媒体はメダルである。遊技機がパチンコ機であれば、遊技媒体はパチンコ玉である。
【００１０】
遊技機１は、表示窓１１を介して視認可能なリール１０、各種演出を行うためのパネルランプ部１２、クレジットメダルの投入を行うＭＡＸＢＥＴボタン１３、クレジットメダルの精算を行うクレジット精算ボタン１４、メダルを投入するメダル投入口１５、スタートレバー１６、左ストップボタン１７、中ストップボタン１８、右ストップボタン１９、受皿２０等を備える。
【００１１】
遊技機１は、遊技者によってメダルをメダル投入口１５から投入し、或いはＭＡＸＢＥＴボタン１３を操作することによりクレジットメダルが所定枚数投入された状態でスタートレバー１６が操作される。これにより、遊技機１において、リール１０の変動を開始させ、ストップボタン１７〜１８が操作されることでリール１０の変動を停止する。遊技機１には、所謂ボーナス役としてのＢＢ（ビッグボーナス）役及びＲＢ（レギュラーボーナス）役、小役及びリプレイ役が設けられている。
【００１２】
詳しい図示は省略するが、遊技機１には、表示窓１１の上段、中段、下段に対応した横方向に１本ずつの３本及び斜め方向の２本の有効ラインが設けられていて、前記ストップボタン１７〜１８の操作により何れかの有効ライン上に内部当選役に対応する図柄が揃ったとき、入賞となる。入賞となった場合には、ＢＢ状態やＲＢ状態の発生、或いは、対応する枚数のメダルの払い出しが行われる。この払い出しにより、ＢＢ状態では例えば約３００枚、ＲＢ状態では約１２０枚のメダルを獲得することができる。遊技機１は、遊技の実行に応じて以下に示す各種の遊技情報を中継装置４へ送信する。
【００１３】
投入信号＝遊技の開始に伴って投入されたメダルの数を示す信号である。
払出信号＝入賞により払い出されたメダルの数を示す信号である。
ＢＢ信号＝ビックボーナス状態であることを示す信号である。
【００１４】
ＲＢ信号＝レギュラーボーナス状態であることを示す信号である。
貸出装置２は、複数の遊技機１各々の側部に並ぶようにして、１台の遊技機１に対して１台配置されている。貸出装置２は、遊技者が貨幣を投入するための貨幣投入口２５、メダルを遊技機１の受皿２０に払い出す払出ノズル２６等を備えている。貸出装置２は、貨幣投入口２５への貨幣の投入に応じて払出ノズル２６からメダルを払い出す（貸し出す）と共に、売上情報を中継装置４へ送信する。
【００１５】
中継装置４は、２台の遊技機１台に対して１台の割合で設置され、それら遊技機１、貸出装置２、遊技情報表示装置３、及び管理装置６間での通信を仲介する。
そして、遊技情報表示装置３は、複数の遊技機１各々の上方に位置させて、１台の遊技機１に対して１台設置されている。図３の正面図で示すように、遊技情報表示装置３は、遊技場の従業員を呼出すときに遊技者が押下する呼出ボタン３１の他、遊技情報の表示を切替えるときに遊技者が押下する表示切替ボタン３２ａ等を含む操作ボタン群３２、遊技情報を表示可能な液晶表示部３３、及びランプ部３４を備える。
【００１６】
また、図２の機能ブロック図で示すように、遊技情報表示装置３は、ＣＰＵ３５ａ、ＲＯＭ３５ｂ、ＲＡＭ３５ｃ及びＩ／Ｏ３５ｄ等を有するマイクロコンピュータにより構成される制御部３５を備える。制御部３５には、上記した呼出ボタン３１、操作ボタン群３２、液晶表示部３３、ランプ部３４が接続されると共に、図示しない従業員用の携帯リモコンからの信号を受信する受光部３６、後述するケース体６０用のＬＥＤ６５ａが接続されている。制御部３５は、ＲＯＭ３５ｂ等に記憶されている制御プログラムに基づいて遊技情報表示装置３全体を制御する。
【００１７】
遊技情報表示装置３の制御部３５は、信号を送受信する入出力部となる送受信部３７を介して中継装置４に接続されている。制御部３５は、遊技機１からの稼動情報を中継装置４及び送受信部３７経由で受信して各種の遊技情報を作成し、液晶表示部３３に表示する。また、制御部３５は、管理装置６等から各種情報を中継装置４及び送受信部３７経由で受信して液晶表示部３３に表示し、或いは発光部としてのランプ部３４やＬＥＤ６５ａの発光を制御するようになっている。
【００１８】
こうして、制御部３５は、液晶表示部３３や発光部３４，６５ａを利用した、当該遊技機１に関する各種の遊技情報を表示可能としている。詳しい図示は省略するが例えば、液晶表示部３３には、本日や前日といった日毎のＢＢ回数・ＲＢ回数（つまりＢＢ状態・ＲＢ状態の各発生回数）、ボーナス間ゲーム回数、差メダル数グラフ（メダルの「払出枚数」−「投入枚数」の推移を示すグラフ）等の表示が可能である。
【００１９】
さて、本実施形態の遊技情報表示装置３は、その表示装置本体３０の上端縁側にケース体６０を取り付けた構成にあり、ケース体６０において、各種の遊技情報を表示するための、任意のＰＯＰ媒体を収納可能としている。係る表示装置本体３０とケース体６０の構成について、図３〜図１０を参照しながら説明する。ここで、図３、図４、及び図５は、表示装置本体３０にケース体６０を取り付けた状態で示す遊技情報表示装置３の正面図、右側面図、及び後方側からの斜視図を示している。なお、図３の紙面と直交する方向を前後方向とし、その紙面手前側を表示装置本体３０の前面側とする。また図３において、表示装置本体３０の長手方向を左右方向とし、表示装置本体３０を前面側から見たときの右側を右方として説明する。
【００２０】
表示装置本体３０は、図３に示すように全体として若干横長な矩形状をなしており、その下側後部にて前記遊技機島に取り付け固定される基台部５０と、当該基台部５１の上側前部にて回動可能に支持された本体部４０とで構成されている。
【００２１】
詳細には、図３、図４に示すように、本体部４０は、その外郭をなす合成樹脂材料から形成された前枠部４０ａと後板部４０ｂとを、接合することにより薄型の矩形箱状に形成されている。本体部４０は、前枠部４０ａに収まる液晶表示部３３を主体に構成しており、前枠部４０ａに沿うランプ部３４を有する。
【００２２】
図７の分解斜視図で示すように、本体部４０の下端部（同図７で上側）には、左右一対の取付片４１，４１が基台部５０の被取付部５１，５１と対応するように設けられている。取付片４１，４１は短冊板状をなし、その板厚方向に貫通するネジ用孔４１ａ，４１ａを有する。詳しい図示は省略するが、各取付片４１，４１の基端側は、本体部４０の下端部に配設された左右方向に延びる枢支軸（その軸線４１ｘを図７の一点鎖線で表す）に接続されている。これにより、本体部４０は、その取付片４１，４１の孔４１ａ，４１ａに挿通されるネジＳ１，Ｓ１が、被取付部５１，５１に螺挿されることで、基台部５０に対して、軸線４１ｘ周りの回動が可能に取り付けられている。
【００２３】
また図７に示すように、本体部４０には、後板部４０ｂにおける中央下寄りの開口４０ｃから後方へ突出する位置決めアーム４３が固定して設けられている。位置決めアーム４３は、本体部４０の回動軌跡に沿って湾曲した形状をなすと共に、その側面に小さく凹んだ複数（例えば５箇所）の凹部４３ａ〜４３ｅが配列されている。位置決めアーム４３の凹部４３ａ〜４３ｅは、後述する基台部５０の係止機構５３により係脱可能に係止される。これにより、本体部４０は、軸線４１ｘ周りの回動範囲について、位置決めアーム４３の凹部４３ａで係止されたときに液晶表示部３３が略垂直となる垂直位置（図４の実線参照）を基準（０度）として、位置決めアーム４３の凹部４３ｅで係止されたときに液晶表示部３３が例えば２５度前方へ倒れるように傾斜した傾斜位置（図４の２点鎖線、図５参照）まで、段階的な角度調整が可能である。
【００２４】
図７に示すように、本体部４０の上端部（同図で下側）には、ケース体６０用の被取付部として、左右一対の取付溝４８，４８が設けられている。また、本体部４０の後板部４０ｂには、ケース体６０用のＵＳＢケーブルＣ１の溝４９が設けられているが、これらケース体６０用の各部４８，４９の構成について、詳しくは後述する。なお、本体部４０は、下側（図７で上側）に引き出された接続ケーブルＣ２により、基台部５０側と電気的にも接続されており、基台部５０側から電源供給されると共に表示用の制御信号を入力するようになっている。
【００２５】
図３〜図５に示すように、基台部５０は全体として略円筒状をなしており、前側下部に前記操作ボタン群３２を有すると共に、後側に張出す取付面５０ｄを有している。具体的には、図７に示すように、基台部５０は、合成樹脂材料からなる前半部５０ａと後半部５０ｂとをネジＳ２止めし、その両側方に円盤部５０ｃ，５０ｃを装着した構成にある。
【００２６】
同図７に示すように、基台部５０の前半部５０ａには、左右方向にわたって段付き状をなす縦壁面５２ａと下壁面５２ｂとが形成されている。前半部５０ａの下壁面５２ｂにおいて、左右両側の位置に、本体部４０の取付片４１，４１を取り付けるための被取付部５１，５１が形成され、中央部分の位置に、接続ケーブルＣ２用の挿通孔５２ｃが形成されている。
【００２７】
前半部５０ａの縦壁面５２ａには、位置決めアーム４３が挿通される縦長な挿通孔５２ｄが形成されている。また、縦壁面５２ａの左部には、奥に向かうに従い狭まる台形四角錐状をなす窄み部５４が設けられている。ここで、図８は、図７の矢印Ａ方向から見た窄み部５４の拡大図である。窄み部５４の奥壁５４ａ側（後述の制御基板５７）には、ＵＳＢ（Universal Serial Bus）ポート５７ａやディップスイッチ５７ｂが設けられている。それ故、ＵＳＢケーブルＣ１のコネクタＣ１ａの接続や、ディップスイッチ５７ｂの操作を、窄み部５４の前面開口を通して行うことができる。
【００２８】
一方、基台部５０における後半部５０ｂの内部には、図示しない電源装置の他、制御基板５７、前記係止機構５３等（何れも図７参照）を収容している。制御基板５７は、制御部３５として機能するＲＯＭ３５ｂ等が実装されると共に、ディップスイッチ５７ｂ等の電子部品が実装されている。図示は省略するが、係止機構５３は例えば、位置決めアーム４３の凹部４３ａ〜４３ｅに対して右側から当接する留め具と、当該留め具を左方へ付勢するバネとを有し、その留め具を凹部４３ａ〜４３ｅに当接させて位置決めアーム４３を係止することで、本体部４０の傾斜角度を保持する。
【００２９】
なお、基台部５０の後半部５０ｂには、その下側に位置してスピーカ５５が設けられており、スピーカ５５から効果音、或いは店内放送が放送されるようになっている。また、表示装置本体３０は、基台部５０における後半部５０ｂの取付面５０ｄにて前記遊技機島に取り付けられる。
【００３０】
そして、ケース体６０は、上記した表示装置本体３０の上端縁に沿って起立するように取り付けられている。ケース体６０は、図３、図９に示すように左右方向の横幅寸法Ｗが表示装置本体３０と同じ横幅寸法で、上下方向の縦寸法Ｈが表示装置本体３０の縦寸法に比して小さい、横長な矩形状をなしている。
【００３１】
ケース体６０は、その取付片６１，６１を、表示装置本体３０の上端縁の取付溝４８，４８に差し込むことにより取り付けられる。具体的には図９に示すように、取付片６１，６１は何れも「ロ」字状をなし、ケース体６０の下端縁から下方へ突出するように配設されている。また、取付片６１，６１は、ケース体６０の下端縁にて左右方向に延びる枢支軸６２，６２の周りに回動可能に設けられている。
【００３２】
他方、取付溝４８，４８は、本体部４０の上端縁（図７中、下側の縁）を取付片６１，６１に合わせて平坦に窪ませた縦壁４８ａと、その縦壁４８ａの中央で隆起する隆起部４８ｂと、当該窪みの開放面側を横幅方向に狭めるガイドリブ４８ｃとで構成される。それ故、ケース体６０の取付片６１，６１は、本体部４０の取付溝４８，４８の縦壁４８ａに沿わせて差し込まれることに伴い、自身の可撓性により隆起部４８ｂに嵌り込むと共に、ガイドリブ４８ｃにより後方へ外れないようにして取り付けることができる（図５参照）。なお、図５に示すように、ケース体６０の下側後部には、取付片６１，６１の基端側に位置して取付カバー６３，６３が装着されている。
【００３３】
また、取付片６１，６１や取付カバー６３，６３を含むケース体６０の下端側は、図４に示す当該ケース体６０の起立した姿勢を保持するための規制手段として構成されている。即ち、ケース体６０は、液晶表示部３３（本体部４０前面）に対して略面一になる面一位置と、本体部４０前面に対してやや後方へ傾く傾斜位置（図４の２点鎖線参照）との間で枢支軸６２，６２の周りに回動し、その回動範囲は例えば２０度に規制される。係る規制手段は、ケース体６０の下端面６０ａと本体部４０の上端面との当接、或いは取付カバー６３，６３と本体部４０の後板部４０ｂとの当接といった当接手段により構成される。または、ケース体６０の回動範囲を規制するために、ケース体６０を面一位置や傾斜位置で係止する、前記係止機構５３と同様の係止機構を用いて構成してもよい。
【００３４】
ケース体６０は、前記ＰＯＰ媒体の如く予め所定の遊技情報が表示された表示媒体を収納可能で、少なくとも前面が透明である。即ち、ケース体６０は、図５に示すように取付片６１，６１及び取付カバー６３，６３を下端側に有する後ケース６４と、この後ケース６４に収納された導光ユニット６５（図１０（ｂ）参照）と、後ケース６４前側周縁に装着された前フレーム６６と、前フレーム６６に開閉可能に軸支された透明カバー６７と、を備える。なお、説明の便宜上、図１０（ａ）の側面図では、透明カバー６７の開状態を２点鎖線で表し、図１１の拡大縦断側面図では、透明カバー６７のハッチングを省略している。
【００３５】
先ず、後ケース６４は、図９に示すような横幅寸法Ｗ、縦寸法Ｈ、及び図１０（ｂ）に示す奥行寸法Ｄに設定されていて、前面側が開放された浅底な矩形容器状をなしている。後ケース６４の内部には、導光ユニット６５を支持する補強リブ６４ａが設けられると共に、導光ユニット６５に対する電源供給のためのＵＳＢケーブルＣ１の接続部分Ｃ１ｂ（図１０（ｂ）参照）も収納している。ＵＳＢケーブルＣ１は、ケース体６０の下端側から導出されている。
【００３６】
図１０（ｂ）に示す導光ユニット６５は、後ケース６４の内底部において左右方向に延びるＬＥＤ基板６５ｂを有する。詳しい図示は省略するが、ＬＥＤ基板６５ｂは、例えば１０個の白色ＬＥＤ６５ａ素子が左右方向に並び且つ上方へ向けて光を照射する光源として実装されている。また、導光ユニット６５を構成する、図１１の導光板６５ｃ、反射板６５ｄ、及び補強板６５ｅは、何れも後ケース６４内の略全域を覆う大きさの矩形平板状をなしており、それら板６５ｃ〜６５ｅの配置順に接合されている。導光ユニット６５は、導光板６５ｃ（Light Guide Plate）の下端からＬＥＤ６５ａの光が上方へ照射されることにより、導光板６５ｃで当該光を導光して面発光させる。
【００３７】
こうして、導光ユニット６５は、導光板６５ｃの前側に配された（ケース体６０に収納された）ＰＯＰ媒体を照明するための照明部材として機能する。また、導光ユニット６５は、表示装置本体３０側の前記電源装置からのＵＳＢケーブルＣ１を介した電源供給に応じて、制御部３５によってＬＥＤ６５ａの点灯が制御される。
【００３８】
図９、図１０（ａ）に示すように、ケース体６０の前フレーム６６は、後ケース６４前側に合わさる外形寸法で、導光板６５ｃの周囲を囲うように装着されている。前フレーム６６において、左右の辺部６６ａ，６６ｂは、透明カバー６７の厚みのぶん段落ちし、下辺部６６ｄには、透明カバー６７の軸支部６６ｅが設けられている。また、ケース体６０の上寄りの位置には、前フレーム６６と後ケース６４とにわたって、左右の外端縁を夫々窪ませた凹状の被係合部６８，６８が設けられている。被係合部６８，６８の中央には、隆起部６８ａが夫々形成されており、透明カバー６７の係合部６９，６９の夫々の凹部６９ａが嵌合する。また、図示は省略するが、前フレーム６６における左右の辺部６６ａ，６６ｂには、下寄りの位置に、透明カバー６７のアーム部６７ａ，６７ａの挿通孔が夫々形成されている。
【００３９】
そして、透明カバー６７は、透明性を有する合成樹脂材料からなり、前フレーム６６における上下の辺部６６ｃ，６６ｄに収まる矩形状をなす。透明カバー６７の左右の側部には、その上寄りの位置にて被係合部６８，６８に係合する係合部６９，６９と、下寄りの位置にて前記挿通孔に挿通されるアーム部６７ａ，６７ａと、下端の位置にて軸支部６６ｅに軸支される被軸支部６７ｂ，６７ｂと、が夫々一体成形されている。透明カバー６７は、図１０（ａ）の２点鎖線で表す開状態において、アーム部６７ａ，６７ａが前記挿通孔で係止されることにより、導光板６５ｃとなす角度（例えば３０度）が保持される。また、透明カバー６７は、開状態から同図（ａ）の実線で表す閉状態へと軸支部６６ｅ周りに回動して、係合部６９，６９がその可撓性により被係合部６８，６８に嵌合することで、閉状態が保持される。
【００４０】
図１１に示すように、ＰＯＰ媒体７０は、透明カバー６７と導光板６５ｃとの間に位置する比較的薄い（例えば厚さ０．３ｍｍ程度）矩形状の紙でできた表示媒体である。ＰＯＰ媒体７０の一方の面には、遊技場側からの宣伝、或いは遊技機１の情報などが印刷されている。ＰＯＰ媒体７０は、ケース体６０に対して開いた透明カバー６７と導光板６５ｃとの間に挟み込むようにして挿入され、透明カバー６７の閉状態で両者６７，６５ｃ間に固定される。
【００４１】
なお、ＰＯＰ媒体７０は、例えば横幅寸法を４２０ｍｍ、縦寸法を８０ｍｍのサイズとする。換言すれば、ケース体６０は、縦横の寸法Ｗ，Ｈが、ＰＯＰ媒体７０を収納可能とする大きさ（４２０ｍｍ×８０ｍｍより若干大きい）であって、本体部４０と一体的な外観を呈する寸法形状に構成されている。
【００４２】
図５に示すように、ケース体６０より下方へ導出されたＵＳＢケーブルＣ１は、表示装置本体３０側へと本体部４０の溝４９に沿って縦断するように配設されている。ここで、図６は、本体部４０における溝４９の下端近傍の拡大図を示している。同図５，６に示すように、溝４９は、本体部４０の後板部４０ｂを窪ませるようにして、上下方向に延設された細溝状に形成されている。溝４９は、後板部４０ｂにおいてＵＳＢケーブルＣ１が収まり、且つそのケーブルＣ１が溝４９からはみ出したり、容易に抜け出ない構成としている。
【００４３】
図６に示す溝４９の一方の縁４９Ｅａには例えば、当該溝４９の底４９ｂに対し、庇状をなすように張出した複数の抑えリブ７１が、前記延設方向に離間して一体形成されている。また、溝４９の他方の縁４９Ｅｂには例えば、当該溝４９の底４９ｂに対して庇状をなすように張出し、且つその先端部７２ａが底４９ｂへ向けて屈曲したフック形状の転落防止リブ７２が、当該溝４９の下端部側に一体形成されている。図６に示すように、転落防止リブ７２は、溝４９においてコネクタＣ１ａの幅寸法よりも狭く、且つ抑えリブ７１と互い違いになる縁４９Ｅｂにあるため、そのフック形状によりケーブルＣ１乃至コネクタＣ１ａが引っ掛ることで容易に抜けない構成としている。
【００４４】
なお、ＵＳＢケーブルＣ１の溝４９を利用した配線を行う際、転落防止リブ７２の対向面側の凹所７４において、ＵＳＢケーブルＣ１を迂回させるようにしてリブ７２のフック形状下側へ導くことができる。また、溝４９における型抜き用の開口部７５を利用して、ＵＳＢケーブルＣ１を各リブ７１，７２よりも内側へ容易に引き回すことができる。
【００４５】
上記構成の作用について説明する。
遊技情報表示装置３は、その基台部５０の取付面５０ｄにて遊技機島に設置され、基台部５０から導出された制御用ケーブルＣ３（図２にのみ図示）や電源用ケーブルを介して、外部装置との通信や電源供給がなされるものとする。また、ケース体６０は、表示装置本体３０に対し取付片６１，６１にて取り付けられ、ＵＳＢケーブルＣ１を介して、表示装置本体３０の基台部５０側からの電源供給に応じてＬＥＤ６５ａの点灯制御が行われるものとする。
【００４６】
この場合、遊技者は、ケース体６０に収容されたＰＯＰ媒体７０を、透明カバー６７を透かして視認することができる。また、遊技情報表示装置３において、ケース体６０は、図４に示す本体部４０が垂直位置や傾斜位置にあっても、その本体部４０の上端縁に沿って起立する角度を前記２０度の範囲内で調整することができる。ここで、起立とは、本体部４０に対して立ち上がった状態にあって、遊技者がＰＯＰ媒体７０を見た場合にその宣伝用の絵等が倒れていない状態を称するものである。
【００４７】
また、遊技情報表示装置３は、制御部３５により、ＬＥＤ６５ａへ供給する電力をＯＮ／ＯＦＦ制御することで、ＬＥＤ６５ａを点灯／照灯する。この場合、遊技情報表示装置３において、対応する遊技機１の遊技状態つまり非稼動状態や、通常状態、前記ボーナス状態等に応じて、消灯、点灯、点滅等、ＬＥＤ６５ａの発光状態を切り替えることができる。
【００４８】
ところで、遊技情報表示装置３において起立したケース体６０は、その着脱等に際して、不用意に本体部４０から転倒し或いは脱落するとも考えられる。もっとも、本実施形態のケース体６０は、少なくともＵＳＢケーブルＣ１が溝４９に配線されていれば、本体部４０から転落しようとするとき当該ケーブルＣ１乃至コネクタＣ１ａがリブ７２に引っ掛かることで、転落する事態を免れうる。
【００４９】
また、ケース体６０において、ＰＯＰ媒体７０のセットは、単に透明カバー６７を開いた後、ＰＯＰ媒体７０を導光板６５ｃに合わせるように配置して透明カバー６７を閉じることにより行う。この場合、透明カバー６７の開閉は、その係合部６９，６９に手指を掛けて手前に倒し或いは起すようにして、当該係合部６９，６９を被係合部６８，６８に係脱させることができ、簡単に開状態或いは閉状態にすることができる。
【００５０】
上記実施形態によれば、次のような効果を奏する。
表示装置本体３０の上端縁に沿って前面に透明カバー６７を有するケース体６０を取り付け、そのケース体６０に任意の表示媒体を収納することによって表示装置本体３０の液晶表示部３３での表示内容とは別の情報を表示することができるので、表示可能な情報量を手軽に増加させることができる。また、表示装置本体３０の上端縁に沿ってケース体６０を取り付けたので、表示装置本体３０とケース体６０とが一体的な外観を成し、遊技者が視線を大きく移動させることなく両方の情報を視認することができる。
【００５１】
本発明は、上記実施形態に限定されることなく、次のように変形または拡張したり、各変形例を上記実施形態と組合せたり、各変形例を組合せるようにしてもよい。
ケース体６０は、その外形を矩形状に形成したが、これに限定するものではなく、例えば、三角形状や円弧状、或いは外形の一部に曲線を含む形状であってもよい。
【００５２】
ケース体６０側には、ＣＰＵを含む制御部を設けないようにしたが、ケース体６０側に、ＬＥＤ６５ａの点灯を制御する制御部を設けるようにしてもよい。
表示装置本体３０が表示する遊技情報の種類は、液晶表示部３３における上記した遊技情報に限定されず、様々な種類の遊技情報を採用することができる。
【００５３】
遊技機１としてスロットマシンを例示したが、パチンコ遊技機に対しても同様に適用することができる。
また、遊技媒体を払い出すタイプの遊技機１を前提としたが、遊技媒体を払い出さずに電子データとして記憶する完全クレジット式（封入式）の遊技機を対象としてもよい。
【００５４】
上記した各数値は例示であり、例えば遊技情報表示装置３における、ケース体６０の傾斜角度や本体部４０の傾斜角度、或いはそれらを回動可能とする構成の有無も含め、適宜変更しうるものである。
【符号の説明】
【００５５】
図面中、１は遊技機、３は遊技情報表示装置、３０は表示装置本体、６０はケース体、６５は照明部材、７０は表示媒体である。
【図１】
2018153210.tif 000003
【図２】
2018153210.tif 000004
【図３】
2018153210.tif 000005
【図４】
2018153210.tif 000006
【図５】
2018153210.tif 000007
【図６】
2018153210.tif 000008
【図７】
2018153210.tif 000009
【図８】
2018153210.tif 000010
【図９】
2018153210.tif 000011
【図１０】
2018153210.tif 000012
【図１１】
2018153210.tif 000013